【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ニット構成要素を形成する複数の針を備えた編床を有する編み機用フィーダーであって、
前記編床に向けてストランドを供給するように構成された給糸区域を備えたフィーダーアームと、
前記フィーダーアームによって操作可能に支持されているプッシング部材であって、前記ニット構成要素の一部を押して、前記ニット構成要素に組み込まれる前記ストランドのための間隙を形成するように構成されたプッシング部材と、
を備えるフィーダー。
【請求項２】
前記給糸区域は給糸先端部で終端し、および前記プッシング部材は、前記給糸先端部から突出している、請求項１に記載のフィーダー。
【請求項３】
前記プッシング部材は、約０．０２５４ミリメートル〜約５ミリメートルだけ、前記給糸先端部から突出している、請求項２に記載のフィーダー。
【請求項４】
前記プッシング部材は、どちらも前記給糸先端部から突出している第１の突出部および第２の突出部を含み、および前記給糸先端部は、前記第１の突出部と前記第２の突出部との間に画成されている、請求項１〜３のいずれか一項に記載のフィーダー。
【請求項５】
レールの直線状の長手方向軸に沿った動きのために、前記レール上で前記フィーダーを移動可能に支持するように構成された取付要素をさらに備え、前記給糸先端部と、前記第１の突出部と、前記第２の突出部とが、前記レールの前記長手方向軸に実質的に平行に延びている溝を画成するように協働する、請求項４に記載のフィーダー。
【請求項６】
前記プッシング部材は、丸みの付いた末端部を含む、請求項１〜５のいずれか一項に記載のフィーダー。
【請求項７】
キャリアに対する、延伸位置と後退位置との間での動きのために、前記フィーダーアームを移動可能に支持する前記キャリアをさらに備え、前記給糸区域は、前記延伸位置においては、前記後退位置と比較して、より前記編床に近づいており、前記プッシング部材は、前記フィーダーアームが前記延伸位置にある場合に、前記ニット構成要素の前記一部を押すように構成されている、請求項１〜６のいずれか一項に記載のフィーダー。
【請求項８】
前記プッシング部材は、前記ニット構成要素の前記ストランドを挿入している間、前記ニット構成要素の前記一部を押すように構成されている、請求項７に記載のフィーダー。
【請求項９】
前記プッシング部材は、少なくとも部分的にセラミック材料から形成されている、請求項１〜８のいずれか一項に記載のフィーダー。
【請求項１０】
前記プッシング部材は、モノリシックになるように、前記給糸区域に一体的に取り付けられている、請求項１〜９のいずれか一項に記載のフィーダー。
【請求項１１】
フィード方向に沿った動きのために、前記フィーダーを移動可能に支持するように構成された取付要素をさらに備え、前記給糸区域は、前記編床に向けて前記ストランドを供給する給糸先端部で終端し、および前記プッシング部材は、前記フィード方向に実質的に平行な方向において、前記給糸先端部から離間され、前記プッシング部材は、前記ニット構成要素の前記一部を、前記フィード方向における前記給糸区域の前方へ押すように構成されている、請求項１に記載のフィーダー。
【請求項１２】
前記プッシング部材は、第１の突出部および第２の突出部を含み、前記給糸先端部は、前記フィード方向において、前記第１の突出部と前記第２の突出部との間に設けられている、請求項１１に記載のフィーダー。
【請求項１３】
前記フィーダーアームは、第１の位置と第２の位置との間での動きのために移動可能に取り付けられている第１の部分および第２の部分を含み、前記第１の突出部は、前記フィーダーアームが前記第１の位置にある場合に、前記ニット構成要素を前記給糸区域の前方へ押すように構成されており、前記第２の突出部は、前記フィーダーアームが前記第２の位置にある場合に、前記ニット構成要素を前記給糸区域の前方へ押すように構成されている、請求項１２に記載のフィーダー。
【請求項１４】
前記第１の部分と前記第２の部分は、枢動可能に取り付けられている、請求項１３に記載のフィーダー。
【請求項１５】
フィード方向に沿った動きのために、前記フィーダーを移動可能に支持するように構成された取付要素をさらに備え、前記給糸区域は、前記編床に向けて前記ストランドを供給する給糸先端部で終端し、および前記プッシング部材は、前記フィード方向に実質的に平行な方向において、前記給糸先端部から離間されている、請求項１１に記載のフィーダー。
【請求項１６】
ニット構成要素を形成するための編み機であって、
複数の針を備えた編床と、
前記編床に向けてストランドを供給するフィーダーであって、
前記編床に向けて前記ストランドを供給するように構成された給糸区域を備えたフィーダーアームであって、前記給糸区域が給糸先端部で終端しているフィーダーアームと、
前記給糸先端部から突出しているプッシング部材であって、前記ニット構成要素の一部を押して、前記ニット構成要素に組み込まれる前記ストランドのための間隙を形成するように構成されたプッシング部材と、
を含むフィーダーと、
を備える編み機。
【請求項１７】
前記プッシング部材は、第１の突出部および第２の突出部を含み、および前記給糸先端部は、前記第１の突出部と前記第２の突出部との間に画成されている、請求項１６に記載の編み機。
【請求項１８】
長手方向軸を有するレールをさらに備え、および前記フィーダーは、前記レールの前記長手方向軸に沿った動きのために、前記レール上で前記フィーダーを移動可能に支持する取付要素を含み、前記給糸先端部と、前記第１の突出部と、前記第２の突出部とが、前記レールの前記長手方向軸に実質的に平行に延びる溝を画成するように協働する、請求項１７に記載の編み機。
【請求項１９】
長手方向軸を有するレールをさらに備え、前記フィーダーは、前記レールに沿ったフィード方向に沿う動きのために、前記フィーダーを移動可能に支持する取付要素を含み、前記給糸区域は、前記編床に向けてストランドを供給する給糸先端部で終端し、および前記プッシング部材は、前記フィード方向に実質的に平行な方向において、前記給糸先端部から離間され、前記プッシング部材は、前記フィード方向において、前記給糸区域の前方へ前記ニット構成要素の前記一部を押すように構成されている、請求項１６〜１８のいずれか一項に記載の編み機。
【請求項２０】
前記プッシング部材は、第１の突出部および第２の突出部を含み、前記給糸先端部は、前記フィード方向において、前記第１の突出部と前記第２の突出部との間に設けられている、請求項１９に記載の編み機。
【請求項２１】
前記フィーダーアームは、第１の位置と第２の位置との間での動きのために、移動可能に取り付けられている第１の部分および第２の部分を含み、前記第１の突出部は、前記フィーダーアームが前記第１の位置にある場合に、前記ニット構成要素を前記給糸区域の前方へ押すように構成されており、前記第２の突出部は、前記フィーダーアームが前記第２の位置にある場合に、前記ニット構成要素を前記給糸区域の前方へ押すように構成されている、請求項２０に記載の編み機。
【請求項２２】
長手方向軸を有するレールをさらに備え、前記フィーダーは、前記レールに沿ったフィード方向に沿う動きのために、前記フィーダーを移動可能に支持するように構成された取付要素を含み、前記給糸区域は、前記編床に向けて前記ストランドを供給する給糸先端部で終端し、および前記プッシング部材は、前記フィード方向に実質的に平行な方向において、前記給糸先端部から離間されている、請求項１６に記載の編み機。
【請求項２３】
前記プッシング部材は、丸みの付いた末端部を含む、請求項１６〜２２のいずれか一項に記載の編み機。
【請求項２４】
前記フィーダーは、キャリアに対する、延伸位置と後退位置との間での動きのために、前記フィーダーアームを移動可能に支持する前記キャリアも含み、前記給糸区域は、前記延伸位置においては、前記後退位置と比較して、より前記編床に近づいており、前記プッシング部材は、前記フィーダーアームが前記延伸位置にある場合に、前記ニット構成要素の前記一部を押すように構成されている、請求項１６に記載の編み機。
【請求項２５】
前記プッシング部材は、前記ニット構成要素に前記ストランドを挿入している間、前記ニット構成要素の前記一部を押すように構成されている、請求項２４に記載の編み機。
【請求項２６】
編み機によって、ニット構成要素を編む方法であって、
前記編み機のフィーダーの給糸区域によって、前記編み機の編床に向けてストランドを供給することであって、前記ストランドは、前記ニット構成要素に組み込まれるように前記給糸区域によって供給されることと、
前記フィーダーのプッシング部材によって、前記ニット構成要素の一部を押して、前記ニット構成要素に組み込まれる前記ストランドのための間隙を形成することと、
を含む方法。
【請求項２７】
前記プッシング部材は、前記給糸区域の給糸先端部から突出している第１の突出部および第２の突出部を含み、前記給糸先端部は、前記第１の突出部と前記第２の突出部との間に画成され、および前記ニット構成要素の前記一部を押すことは、前記第１および第２の突出部が協働して前記ニット構成要素の前記一部を広げることを含む、請求項２６に記載の方法。
【請求項２８】
延伸位置と後退位置との間で前記フィーダーを動かすことをさらに含み、前記給糸区域は、前記延伸位置においては、前記後退位置と比較して、より前記編床に近づいており、および前記ニット構成要素の前記一部を押すことは、前記フィーダーが前記延伸位置にある場合に行われる、請求項２６または２７に記載の方法。
【請求項２９】
前記ストランドを前記ニット構成要素に挿入することをさらに含む、請求項２８に記載の方法。
【請求項３０】
前記フィーダーをフィード方向に移動させることをさらに含み、および前記ニット構成要素の前記一部を押すことは、前記ニット構成要素の前記一部を前記フィード方向において、前記プッシング部材によって前記給糸区域の前方へ押すことを含む、請求項２６〜２９のいずれか一項に記載の方法。
【手続補正２】
【補正対象書類名】明細書
【補正対象項目名】００１４
【補正方法】変更
【補正の内容】
【００１４】
ソール構造１１０は、アッパー１２０に固定されていて、履物１００を履いたときに足と地面との間に延びる。ソール構造１１０の主要な要素は、ミッドソール１１１、アウトソール１１２および中敷き１１３である。ミッドソール１１１は、アッパー１２０の下面に固定されて、歩いているとき、走っているとき、または他の歩行活動中に、足と地面との間で圧縮された場合に、地面の反力を弱める（つまり、クッション材となる）圧縮可能なポリマー発泡体要素（例えば、ポリウレタンまたはエチルビニルアセテート発泡体）から形成してもよい。さらなる構成では、ミッドソール１１１は、さらに力を弱め、安定性を高め、または、足の動きに影響を与えるプレート、モデレータ、液体充填チャンバ、ラスティング要素、もしくはモーションコントロール部材を組み込んでもよく、または、ミッドソール１１１は、主に液体充填チャンバから形成してもよい。アウトソール１１２は、ミッドソール１１１の下面に固定されており、牽引力を付与するように織られた耐摩耗性のゴム材料から形成してもよい。中敷き１１３は、アッパー１２０内に配置されており、足の下面の下に延びて、履物１００の快適性を高めるように配置されている。ソール構造１１０のこの構成は、アッパー１２０と接続して使用してもよいソール構造の一実施例を提供しているが、ソール構造１１０のさまざまな他の従来の構成または従来にない構成も利用してもよい。したがって、ソール構造１１０またはアッパー１２０とともに利用されるソール構造の特徴は大幅に変わってもよい。
【手続補正３】
【補正対象書類名】明細書
【補正対象項目名】００５５
【補正方法】変更
【補正の内容】
【００５５】
アーム２５１は、キャリア２３０の外側で、キャリア２３０の上側に設けることができ、また、プレート２５２は、キャリア２３０の内部に設けることができる。アーム２５１は、両内側端部２５４の間にスペース２５５を画成するように配置されている。すなわち、両アーム２５１は、互いに長手方向に離間されている。また、図１１に示すように、アーム２５１は、一方のアーム２５１が、第１のカバー部材２３１に近づけて配置され、および他方のアーム２５１が、第２のカバー部材２３２に近づけて配置されるように、横方向に離間させることができる。
【手続補正４】
【補正対象書類名】明細書
【補正対象項目名】００９７
【補正方法】変更
【補正の内容】
【００９７】
例えば、降下アセンブリ３００は、図３７および図３８に模式的に図示されているように、複数のローラ３０３，３０４，３０５，３０６，３０７，３０８，３０９，３１０，３１１，３１２，３１３，３１４を含むことができる。ローラ３０３〜ローラ３１４は、円筒形にすることができ、およびその外周面にゴムまたは他の材料を含むことができる。また、ローラ３０３〜ローラ３１４は、把持性を高めるために、その外周面にテクスチャリング（例えば、隆起面）を含むことができ、または、ローラ３１３，３１４は、実質的に滑らかにすることができる。ローラ３０３〜ローラ３１４は、任意の適当な半径（例えば、約０．２５インチ〜２インチ）を有することができ、および任意の適当な長手方向の長さ（例えば、約０．５インチ〜５インチ）を有することができる。説明されるように、ローラ３０３〜ローラ３１４は、それぞれの回転軸周りに回転することができ、およびニット構成要素３６０に接触して把持することができる。ニット構成要素３６０は、ローラ３０３〜ローラ３１４が回転する際に、針床２０１によって保持されるため、ローラ３０３〜ローラ３１４の回転が、ニット構成要素３６０を引っ張って張力を印加することができる。
【手続補正５】
【補正対象書類名】明細書
【補正対象項目名】０１１５
【補正方法】変更
【補正の内容】
【０１１５】
次に、ニット構成要素２２６０の部分２３２０が所定の長さに達すると（すなわち、ヤーン２２１１の十分なコースが部分２３２０に追加されている）、ローラ２３０７，２３０４は、回転を中断することができる。図３４に図示されているように、ニット構成要素２２６０の別の部分２３２２を形成し始めることができる。